(57)【要約】【課題】集水機能を有すると共に耐荷重が優れた側溝蓋を提供する。【解決手段】側溝蓋１は、矩形板状の形状を有している。側溝蓋１の２つの側縁２，４のうちの側縁４側に、側縁４と平行な凹状の溝６が設けられている。溝６によって、側溝蓋１の上面１０は、第１上面３及び第２上面５に分離されている。第１上面３及び第２上面５のそれぞれの周囲は面取りされている。溝６の両端には、上面１０から側溝蓋１の下面１２を貫くように側溝蓋１の両端縁９，１３を切り欠くスリット７，８が設けられている。第１上面３は、側縁２から溝６に向かって下り勾配をなしている。一方、第２上面５は、側縁４から溝６に向かって下り勾配をなしている。【選択図】図１
0003108587.tif 000002
【実用新案登録請求の範囲】
【請求項１】
矩形板状の側溝蓋であって、
前記側溝蓋の対向する２つの側縁のうちの一方の側縁側に偏った位置で、かつ前記側溝蓋の上面に、前記一方の側縁に沿って設けられた凹形状の溝と、
前記溝と連通すると共に前記上面から前記側溝蓋の下面に貫かれたスリットと
を備える側溝蓋。
【請求項２】
前記側溝蓋の前記２つの側縁から前記溝に向かって、前記上面が下り勾配をなす請求項１に記載の側溝蓋。
【請求項３】
前記溝は前記側縁と平行である請求項１または２に記載の側溝蓋。
【請求項４】
前記側溝蓋を側溝に取り付けた場合に、
前記溝は、前記側溝の支持部近傍で溝部に連通する請求項１〜３のいずれか一項に記載の側溝蓋。
【請求項５】
前記溝は前記スリットに向かって下り勾配をなす請求項１〜４のいずれか一項に記載の側溝蓋。
【請求項６】
前記上面における前記スリットの幅は９ｍｍを超えない請求項１〜５のいずれか一項に記載の側溝蓋。
【請求項７】
前記上面における前記スリットの幅は７〜９ｍｍの範囲である請求項１〜６のいずれか一項に記載の側溝蓋。
【考案の詳細な説明】
【技術分野】
【０００１】
この考案は、側溝蓋に係り、とくに、落ちふた式Ｕ形側溝の側溝蓋に関する。
【背景技術】
【０００２】
落ちふた式Ｕ字形側溝の側溝蓋として、従来は、雨水等を集水するために、側溝蓋の断面中央部に、縦方向のスリットを設けたものが知られている。
【考案の開示】
【考案が解決しようとする課題】
【０００３】
しかしながら、このような従来の側溝蓋は、中央部にスリットが設けられているため、
断面中央部に何らかの補強がないと、蓋上面中央に輪荷重が載荷したときのモーメントがスパン中央部にて最大となるため、集水機能は有するものの、断面不足・鉄筋不足等により、耐荷重に問題点があった。
【０００４】
この考案は、このような問題点を解決するためになされたもので、集水機能を有すると共に耐荷重が優れた側溝蓋を提供することを目的とする。
【課題を解決するための手段】
【０００５】
この考案に係る側溝蓋は、矩形板状の側溝蓋であって、側溝蓋の対向する２つの側縁のうちの一方の側縁側に偏った位置で、かつ側溝蓋の上面に、一方の側縁に沿って設けられた凹形状の溝と、溝と連通すると共に上面から側溝蓋の下面に貫かれたスリットとを備える。
側溝蓋の２つの側縁から溝に向かって、上面が下り勾配をなしていることが好ましい。
溝は側縁と平行であってもよい。
側溝蓋を側溝に取り付けた場合に、溝は、側溝の支持部近傍で溝部に連通することが好ましい。
溝はスリットに向かって下り勾配をなしていることが好ましい。
上面におけるスリットの幅は９ｍｍを超えないことが好ましい。
上面におけるスリットの幅は７〜９ｍｍの範囲であることが好ましい。
【考案の効果】
【０００６】
この考案によれば、矩形板状の側溝蓋であって、側溝蓋の対向する２つの側縁のうちの一方の側縁側に偏った位置でかつ側溝蓋の上面に一方の側縁に沿って設けられた凹形状の溝と、溝と連通すると共に上面から側溝蓋の下面に貫かれたスリットとを備えているので、集水機能を有すると共に耐荷重を高めることができる。
【考案を実施するための最良の形態】
【０００７】
以下、この考案の実施の形態を添付図面に基づいて説明する。
図１に示されるように、この考案の実施の形態に係る側溝蓋１は、矩形板状の形状を有している。側溝蓋１の２つの側縁２，４のうちの側縁４側に、側縁４と平行な凹状の溝６が設けられている。溝６によって、側溝蓋１の上面１０は、第１上面３及び第２上面５に分離されている。第１上面３及び第２上面５のそれぞれの周囲は面取りされている。溝６の両端には、上面１０から側溝蓋１の下面１２を貫くように側溝蓋１の両端縁９，１３を切り欠くスリット７，８が設けられている。また、一方の端縁９には、側溝蓋１を図示しない側溝に取り付けたり取り外したりする際の手掛け部１１が、第１上面３と下面１２とを貫くように切り欠かれている。
【０００８】
図２に示されるように、第１上面３は、側縁２から溝６に向かって２％の下り勾配をなしている。一方、第２上面５は、側縁４から溝６に向かって下り勾配をなしている。
図３に示されるように、溝６は、中央部分６ａから両端にあるスリット７，８に向かって２％の下り勾配をなしている。
【０００９】
図４及び５に示されるように、溝６は側縁４から６１ｍｍ離れた位置に側縁４と平行に設けられ、溝６の幅は９ｍｍに設計されている。上面１０におけるスリット８の幅は、溝６と同じ９ｍｍに設計されているが、側溝蓋１の下面１２に向かってスリット８の幅は徐々に広がるように形成されて、下面１２付近において２０ｍｍまで広がり、そこからさらに急激に幅が広がって、下面１２におけるスリット８の幅が３０ｍｍとなるように設計されている。また、側縁４及び図４に図示されないもう一方の側縁２は９５ｍｍに設計されている。
尚、図４及び５には、スリット８のみが図示されているが、スリット７についても同様の形状及び寸法に設計されている。
具体的な寸法を示さなかったその他の部分については、側溝蓋１を既設の側溝へ使用することができるように、ＪＩＳ  Ａ  ５３７２  落ちふた式Ｕ形側溝用ふた３種に準じて設計している。
【００１０】
図６は、側溝蓋１を既設の側溝２０へ取り付けた状態の図である。側溝蓋１は、側溝２０の上部に設けられた支持部２２の上に載置されている。上述したように、溝６及びスリット７，８を側縁４から６１ｍｍ離れた位置に設けたため、スリット７，８が側溝２０のＵ字溝部２３に連通している。
【００１１】
次に、この実施の形態に係る側溝蓋の動作を説明する。
図６に示されるように、道路２１上に降った雨水は、道路２１の傾斜によって、側溝蓋１の側縁２まで移動する。側縁２まで移動した雨水は、第１上面３の下り勾配によって、溝６及びスリット７，８まで移動する。スリット７，８に達した雨水は、スリット７，８を介してＵ字溝部２３へ向かって落下する。一方、溝６に達した雨水は、スリット７，８に向かって形成された下り勾配によってスリット７，８まで移動した後、スリット７，８を介してＵ字溝部２３へ向かって落下する。
【００１２】
ここで、道路２１から移動してくる雨水の量が多く、スリット７，８からＵ字溝部２３へ向かって雨水を落下させる能力を上回る場合には、溝６及びスリット７，８が側縁４側に偏った位置に設けられているため、雨水を側縁４側、すなわち道路２１の端によせておくことができる。また、第２上面５が、側縁４から溝６及びスリット７，８まで下り勾配となっており、雨水を溝６及びスリット７，８に集水させることができるので、Ｕ字溝部２３への集水機能を高めることができる。さらに、スリット７，８を、輪荷重によるモーメントが少ない位置である側縁４側に設けたことにより、従来の側溝蓋のような中央部にスリットを設けたものに比べ、耐荷重を高めることができる。
【００１３】
このように、溝６及びスリット７，８を側縁４側に設けたので、集水機能を有すると共に、耐荷重を高めることができる。
また、側縁２，４のそれぞれから溝６に向かって、第１上面３及び第２上面５が下り勾配になっているので、集水機能を高めることができる。
また、上面１０におけるスリット７，８の幅が９ｍｍであるので、老人や色弱者の杖、傘の先端、女性のハイヒールのかかと等がはまってしまうのを防ぐことができる。
また、溝６に、スリット７，８へ向かう下り勾配が形成されているので、溝６内の水をスリット７，８まで移動させて、スリット７，８を介してＵ字溝部２３へ排水させやすくすることができる。
【００１４】
尚、この実施の形態において、溝６及びスリット７，８を側縁４から６１ｍｍ離れた位置に設けているが、これに限定されるものではない。スリット７，８がＵ字溝部２３と連通するためには側縁４からの距離を大きくしたほうが好ましいが、側溝蓋１の耐荷重性を向上させるためには側溝２０の支持部２２近傍にスリット７，８を設けることが好ましい。この実施の形態では、溝６及びスリット７，８は、縁側４から５５〜８５ｍｍ離れた位置に設けることが好ましい。
【００１５】
この実施の形態において、第１上面３及び溝６の勾配を２％としているが、これに限定されるものではない。少なくとも勾配が存在すれば、溝６またはスリット７，８に向かって水を移動させることができるので、側溝蓋１の使用環境または使用態様に応じて、それぞれの勾配を適宜設計することができる。
【００１６】
この実施の形態において、溝６及びスリット７，８の幅を９ｍｍとしているが、これに限定されるものではない。ただし、老人や色弱者の杖、傘の先端、女性のハイヒールのかかと等がはまるのを防ぐためには、９ｍｍを超えないことが好ましい。一方、溝６及びスリット７，８の幅を９ｍｍより狭くする場合、ゴミ・小石等で目詰まりを起こし排水機能に支障を来たすおそれがあるため、幅を７ｍｍ以上にすることが好ましい。
【図面の簡単な説明】
【００１７】
【図１】この考案の実施の形態に係る側溝蓋の平面図である。
【図２】図１において矢印Ｂの方向から見た側面図である。
【図３】図２のＩＩＩ-ＩＩＩ線に沿った断面図である。
【図４】図２のＡの部分の詳細な断面図である。
【図５】図２のＡの部分の詳細な平面図である。
【図６】この実施の形態に係る側溝蓋の使用状況を示した図である。
【符号の説明】
【００１８】
１  側溝蓋、２，４  側縁、６  溝、７，８  スリット、１０  上面、１２  下面、２０  側溝、２２  支持部、２３  Ｕ字溝部（溝部）。
【図１】
0003108587.tif 000003
【図２】
0003108587.tif 000004
【図３】
0003108587.tif 000005
【図４】
0003108587.tif 000006
【図５】
0003108587.tif 000007
【図６】
0003108587.tif 000008